(57)【要約】      （修正有）【課題】限られたスペースを有効に利用して食器などの洗いものや調味料入れなどを収納できるようにし、流し台や調理台の上のスペースを広く確保して、調理や洗いものをしやすいキッチン環境を維持できるキッチンラックを提供する。【解決手段】立設された支柱２と、支柱に取り付けられ、物品を収納するための収納具３，４とを備え、収納具は、上下それぞれの方向へ開口する開口部を備えた本体部３１，４１と、本体部の底部に設けられると共に本体部に対して着脱自在となされたトレイ部３２，４２とを備えた。【選択図】  図１
0003183078.tif 000002
【実用新案登録請求の範囲】
【請求項１】
立設された支柱と、該支柱に取り付けられ、物品を収納するための収納具とを備え、
前記収納具は、上下それぞれの方向へ開口する開口部を備えた本体部と、本体部の底部に設けられると共に前記本体部に対して着脱自在となされたトレイ部とを備えることを特徴とするキッチンラック。
【請求項２】
支柱は１本の支柱からなり、該１本の支柱に収納具が取り付けられていることを特徴とする請求項１に記載のキッチンラック。
【請求項３】
支柱は、上下に相対向する２つの面の間に突っ張らせるようにして立設されていることを特徴とする請求項１又は２に記載のキッチンラック。
【請求項４】
本体部は、取付具を介して支柱に取り付けられ、本体部と取付具とを着脱自在とすることにより、前記支柱を立設した状態で本体部を支柱に対して着脱自在としたことを特徴とする請求項３に記載のキッチンラック。
【請求項５】
収納具の本体部の底部開口部近傍には、複数の開口穴が設けられたメッシュ棚が形成されていることを特徴とする請求項１乃至４のいずれかに記載のキッチンラック。
【請求項６】
収納具は、水切りラック又は調味料ラックであることを特徴とする請求項１乃至５のいずれかに記載のキッチンラック。
【考案の詳細な説明】
【技術分野】
【０００１】
本考案は、キッチンにおいて使用するキッチンラックに関するものであり、より詳しくは、キッチン内の流し台や調理台周辺の限られたスペースを有効利用して、調味料等の物品を収納したり、洗った食器を一時的に収納したりすることを可能にしたキッチンラックに関するものである。
【背景技術】
【０００２】
従来から、キッチン内においては様々なキッチンラック（収納道具）が利用されている。たとえば、流し台の上やシンク内に設置され、洗った食器を一時的に収納する水切りラック（下記特許文献１及び２参照）や、調理台上に置かれ、塩や胡椒等を収納する調味料ラック（下記特許文献３）などがある。これら従来のキッチンラックにより、キッチン内の特に流し台や調理台周りが整理整頓されている。
【先行技術文献】
【特許文献】
【０００３】
【特許文献１】特開平０６−０７８８７５号公報
【特許文献２】特開２０００−２６５５１６号公報
【特許文献３】実用新案登録第３０６４６４８号公報
【考案の概要】
【考案が解決しようとする課題】
【０００４】
しかしながら、上記従来のキッチンラックは、流し台や調理台の上に載置するものである。それゆえ、流し台や調理台の上の限られたスペースが更に狭くなってしまい、調理や洗いものをする際、キッチンラックが非常に邪魔になっていた。
【０００５】
一方、流し台や調理台の上方の空間、すなわち、流し台や調理台の上面とキッチンの天井面（天井面近くにシステムキッチンの収納棚設備や換気設備が備え付けられている場合には、それら設備の下面）との間にある空間は、有効に活用されておらず、所謂デッドペースとなっている。
【０００６】
本考案は、かかる課題を解決するためになされたものであり、限られたスペースを有効に利用して、流し台や調理台の上のスペースを広く確保し、調理や洗いものをしやすいキッチン環境を維持できるキッチンラックを提供することを目的とする。
【課題を解決するための手段】
【０００７】
上記課題を解決するため、本考案に係るキッチンラックは、立設された支柱と、該支柱に取り付けられ、物品を収納するための収納具とを備え、前記収納具は、上下それぞれの方向へ開口する開口部を備えた本体部と、本体部の底部に設けられると共に前記本体部に対して着脱自在となされたトレイ部とを備えることを特徴とするものである。
【０００８】
本考案に係るキッチンラックによれば、立設された支柱に収納具が取り付けられているおり、ここに様々な物品を収納することができるので、流し台や調理台の上方の空間、すなわち、流し台や調理台の上面とキッチンの天井面（天井面近くにシステムキッチンの収納棚設備や換気設備が備え付けられている場合には、それら設備の下面）との間にある空間は、有効に活用することができる。
【０００９】
また、本考案に係るキッチンラックにおいて、支柱は１本の支柱からなり、該１本の支柱に収納具が取り付けられているようにしてもよい。このようにすれば、１本の支柱を中心として、収納具をその周囲３６０度に自由に取り付けることができるので、より有効な収納が可能となる。
【００１０】
さらに、本考案に係るキッチンラックにおいて、支柱は、上下に相対向する２つの面の間に突っ張らせるようにして立設されているようにしてもよい。このようにすれば、簡単な構成でしっかりと支柱を立設することができる。
【００１１】
また、本考案に係るキッチンラックにおいて、本体部は、取付具を介して支柱に取り付けられ、本体部と取付具とを着脱自在とすることにより、前記支柱を立設した状態で本体部を支柱に対して着脱自在としてもよい。このようにすれば、本体部を取り外した状態で支柱の設置ができ、また支柱を立設したままの状態で本体部の取替えや洗浄などが可能となる。
【００１２】
さらに、本考案に係るキッチンラックにおいて、収納具の本体部の底部開口部近傍には、複数の開口穴が設けられたメッシュ棚が形成されているようにしてもよい。このようにすれば、メッシュ棚が水切りの役割を果たすので、洗った食器など、濡れた物品を収納することができる。
【考案の効果】
【００１３】
以上のとおり、本考案に係る立設された支柱に収納具が取り付けられているおり、ここに様々な物品を収納することができるので、流し台や調理台の上方の空間、すなわち、流し台や調理台の上面とキッチンの天井面（天井面近くにシステムキッチンの収納棚設備や換気設備が備え付けられている場合には、それら設備の下面）との間にある空間は、有効に活用することができる。また、本体部に対して着脱自在となされたトレイ部を設けることで、トレイ部を取り外して洗浄したり、トレイに溜まった水をシンクに流したりすることができる。
【図面の簡単な説明】
【００１４】
【図１】本考案に係るキッチンラックの一実施形態を示す斜視図であり、その使用状態を示す図である。
【図２】図１に示したキッチンラックの斜視図である。
【図３】図２のキッチンラックを背面側から見た斜視図であり、
【図４】図１におけるキッチンラックの水切りラックを示した斜視図である。
【図５】図４に示した水切りラックの本体部の正面図である。
【図６】図１におけるキッチンラックの調味料ラックを示した斜視図である。
【図７】図２に示したキッチンラックの水切りラックの中央側断面図である。
【考案を実施するための形態】
【００１５】
以下、本考案に係るキッチンラックを実施するための形態を、図面に基づいて詳細に説明することとする。
【００１６】
図１は、本考案に係るキッチンラックの一実施形態を示すものであり、その使用状態を示した図である。図１に示すように、この実施形態におけるキッチンラック１は、支柱２と、収納具３及び収納具４とを備える。ここに示した収納具３は、いわゆる水切りラックであり、洗ったばかりの皿やコップなどの食器類Qを一時的に収納するためのものである。また、収納具４はいわゆる調味料ラックであり、塩や胡椒、醤油等の調味料入れを収納するためのものである。
【００１７】
図１〜３に示すように、支柱２は、合成樹脂被覆した金属製パイプにより形成される円筒形状の上側支柱体２１と、同じく合成樹脂被覆した金属製パイプにより形成され上側支柱体２１を内部に嵌挿する円筒形状の下側支柱体２２と、上側支柱体２１と下側支柱体２２とを接続するソケット２５とを備えている。ソケット２５（２５１）は、略円筒形状であって、下側支柱体２２の上端部に固着されている。ソケット２３の側壁には、外表面側から内周面へ挿通するねじ孔（図示せず）が形成されており、上側支柱体２１を下側支柱体２２内に嵌挿し、適宜支柱２の長さ調整をした状態でねじ孔にネジ２５２を螺合して締め付けることにより、螺合されたネジ２５２の先端部が上側支柱体２１の外周面を押圧して、上側支柱体２１を下側支柱体２２に固定することができるようになされている。このような構成によって、支柱２の全長を任意に調整し、支柱２の上下端部がそれぞれ例えば
【００１８】
キッチンの流し台や調理台と、天井面（天井面近くにシステムキッチンの収納棚設備や換気設備が備え付けられている場合には、それら設備の下面）のような２つの相対向する面間に当該支柱２を突っ張らせて立設することができる。
【００１９】
また、当該支柱２の上下端には、それぞれ端部キャップ２３、２４が被せられており、これにより上下の相対向する面に当接する面積を大きくして、支柱２が倒れ難いようになされている。
【００２０】
さらに、この実施形態においては、下側支柱体２２の下端部にはジャッキ機構２６が設けられている。このジャッキ機構２６は、これを調整することによって支柱の長さを変えられるものであり、上述したように支柱２を立設したのち、このジャッキ機構２６を調節して支柱２の長さを調節することによって、支柱２の突っ張り強度を調節可能とするものである。
【００２１】
収納具３は、いわゆる水切りラックであり、図２に示すように、本体部３１とトレイ部３２とを備えている。本体部３１は、図３、図４及び図５に示すように、板材および線材を組み合わせて形成され、四隅をR状として丸みをもたせた略直方体状となされている。この本体部３１は、上側の環状枠体３１１と、下側の環状枠体３１２と、両側部に設けられて前記上側の環状枠体３１１と下側の環状枠体３１２とを接続する側部線材３１３、３１３とを備えている。この左右の側部線材３１３、３１３は、下側の環状枠体３１２より更に下方へ延び、そこから折れ曲がって水平方向かつ内側方向へ延びるトレイ受け部３１３ａ、３１３ａを備えている。
【００２２】
また、下側の環状枠体３１２の内側には複数の線材３１７が平行して配されて、メッシュ状の棚部（メッシュ棚）が形成されている。これによって、洗ったばかりの食器類をこの本体部３１内に収納すると、食器類に付着した水滴は、メッシュ状の棚部の隙間から下方へ落ちるようになされている。
【００２３】
トレイ部３２は、中央上面を凹状に凹ませたトレイ状ないし受け皿状となされている。このトレイ部３２は、トレイ受け部３１３ａ、３１３ａに載置するようになされており、これによって、図４に示すように本体部３１に対して着脱自在となされたものである。
【００２４】
以上のような構成を備えることにより、収納具３の本体部３１内に洗ったばかりの食器類をこの本体部３１内に収納すると、食器類に付着した水滴は、メッシュ状の棚部の隙間から下方へ落ち、トレイ部３２内に溜まるようになされている。そうして、トレイ部３２内に溜まった水は、当該トレイ部３２を本体部３１から取り外すことにより、容易に捨てられる。
【００２５】
更に、本体部３１の背面側には、上下に平行して配される２本の線材からなる規制手段３１５を備えているが、これは後述することとする。尚、この実施形態における本体部３１は、樹脂被覆した金属材料で形成され、トレイ部３２はステンレス材料で形成されているが、これに限られるものではなく、各種金属材料、合成樹脂材料、木などの任意の材料を適宜選択して用いることが可能なものである。
【００２６】
収納具４は、メッシュ状の棚部を備えていないという点を除けば、収納具３と同様の構成を備えるものである。収納具４は、いわゆる調味料ラックであり、塩や胡椒、醤油などの調味料入れPを収納するためのものである。この収納具４は、図２及び図６に示すように、本体部４１とトレイ部４２とを備えている。本体部４１は、図３および図４に示すように、板材および線材を組み合わせて形成され、四隅をR状として丸みをもたせた略直方体状となされている。この本体部４１は、上側の環状枠体４１１と、下側の環状枠体４１２と、両側部に設けられて前記上側の環状枠体４１１と下側の環状枠体４１２とを接続する側部線材４１３、４１３とを備えている。この左右の側部線材４１３は、下側の環状枠体４１２より更に下方へ延び、そこから折れ曲がって水平方向かつ内側方向へ延びるトレイ受け部４１３ａ、４１３ａを備えている。
【００２７】
トレイ部４２は、中央上面を凹状に凹ませたトレイ状ないし受け皿状となされている。このトレイ部４２は、トレイ受け部４１３ａ、４１３ａに載置するようになされており、これによって図６に示すように、本体部４１に対して着脱自在となされたものである。
【００２８】
以上のような構成を備えることによって、図１に示すように、トレイ部４２上に載置するようにして調味料入れPを収納部４に収納することができる。この実施形態における本体部４１は、樹脂被覆した金属材料で形成され、トレイ部４２はステンレス材料で形成されているが、これに限られるものではなく、各種金属材料、合成樹脂材料、木などの任意の材料を適宜選択して用いることが可能なものである。
【００２９】
収納具３及び収納具４は、図３に示すように、いずれも取付具５を介して支柱２に取り付けられる。取付具５は、支柱２を嵌挿する円筒形状の支柱取付部５１と、該支柱取付部５１と一体に形成された板状の取付具本体５２と、該取付具５２から突設された収納具受け部５３、５４とを備えている。収納具受け具５３、５４は、いずれも取付具本体５２から水平方向に突出し、更にそこから折れ曲がって上方へ延びる側面視略L字状となされている。当該収納受け具５３、５４と取付具本体５２との間の隙間５５、５６に、図３の矢印Xで示すように、本体部３１の上側の環状枠体３１１と下側の環状枠体３１２を差し入れるようにして、本体部３１は取付具５に保持される（同様に、収納受け具５３、５４と取付具本体５２との間の隙間５５、５６に、図３の矢印Yで示すように、本体部４１の上側の環状枠体４１１と下側の環状枠体４１２を差し入れるようにして、本体部４１は取付具５に保持される）。尚、本体部３１（４１）には、規制手段３１５、３１５（４１５、４１５）が設けられている。当該規制手段３１５、３１５（４１５、４１５）は、取付具本体５２の左右幅と同じかそれよりもやや広い間隔を空けて配されており、これによって本体部３１（４１）の左右方向への移動を規制するようになされている。尚、この取付具５に関しては、上記の形態のものに限られず、本体部３１又は４１を着脱自在に保持可能なものであれば、任意の形態のものを適宜選択して用いることができる。
【００３０】
取付具５は、図７に示すように、円筒形状をした支柱取付部５１の下端部内周面が下方に向かって徐々に拡径するテーパー形状部５１１を備えている。これにより、支柱２に予め取り付けておいたゴム製のOリング８の上方から支柱取付部５１を被せるようにして、取付具５を支柱２の所定高さ位置に固定するようになされている。
【００３１】
以上のとおり、具体的な実施形態を示して本考案に係るキッチンラックを説明してきたが、本考案は上述の実施形態に限られるものではなく、本考案の趣旨を逸脱しない範囲で様々に形態等を変更することが可能なものである。すなわち、今回開示した実施形態は、すべての点で例示であって、限定的な解釈の根拠となるものではない。したがって、本考案の技術的範囲は、上述した実施形態のみによって解釈されるものではなく、実用新案登録請求の範囲の記載に基づいて画定され、また、実用新案登録請求の範囲と均等の意味および範囲内でのすべての変更が含まれるものである。
【符号の説明】
【００３２】
１      キッチンラック
２      支柱
３      収納具（水切りラック）
３１    本体部
３２    トレイ部
４      収納具（調味料ラック）
４１    本体部
４２    トレイ部
５      取付具
【図１】
0003183078.tif 000003
【図２】
0003183078.tif 000004
【図３】
0003183078.tif 000005
【図４】
0003183078.tif 000006
【図５】
0003183078.tif 000007
【図６】
0003183078.tif 000008
【図７】
0003183078.tif 000009